(57)【要約】【課題】書籍に記載されていない有用な情報を提供することにより書籍に対する理解度や学習効率を高める。【解決手段】本発明の書籍情報提供サーバ３によれば、書籍を特定するための教材特定情報と、書籍に関するコンテンツとが対応して記憶された英単語・英熟語ＤＢ３Ｅ１と、端末から通信ネットワークを介して送信された教材特定情報と、端末を特定するための端末情報とを受け付ける通信インターフェース３Ｊと、受け付けた教材特定情報に基づいて、該当する書籍に関するコンテンツを英単語・英熟語ＤＢ３Ｅ１から読出し、読出した書籍に関するコンテンツを端末情報を宛先として送信する第２のＣＰＵ３Ｋとを備えて構成する。【選択図】    図１
2004234537.tif 000002
【特許請求の範囲】
【請求項１】
通信ネットワークを介して接続された端末に、書籍に関するコンテンツを提供する書籍情報提供サーバであって、
前記書籍を特定するための教材特定情報と、前記書籍に関するコンテンツとが対応して記憶されたコンテンツＤＢと、
前記端末から通信ネットワークを介して送信された教材特定情報と、前記端末を特定するための端末情報とを受け付ける情報受付手段と、
前記情報受付手段により受け付けた教材特定情報に基づいて、該当する書籍に関するコンテンツを前記コンテンツＤＢから読出すコンテンツ読出し手段と、
前記コンテンツ読出し手段により読出した書籍に関するコンテンツを前記端末情報を宛先として送信するコンテンツ送信手段と
を備えたことを特徴とする書籍情報提供サーバ。
【請求項２】
請求項１に記載の書籍情報提供サーバにおいて、
前記コンテンツ送信手段に代えて、
前記教材特定情報と、掲載広告情報とが対応して記憶された広告情報ＤＢと、
前記教材情報に基づいて、該当する広告情報を前記広告情報ＤＢから読出す広告情報読出し手段と、
前記広告情報読出し手段により読出された広告情報と前記書籍に関するコンテンツとを前記端末に送信する広告情報送信手段と
を備えたことを特徴とする書籍情報提供サーバ。
【請求項３】
請求項１に記載の書籍情報提供サーバにおいて、
前記コンテンツ送信手段に代えて、
前記教材特定情報と、前記書籍に関する他のコンテンツとが対応して記憶された関連情報ＤＢと、
前記教材特定情報に基づいて、該当する書籍に関する他のコンテンツを前記関連情報ＤＢから読出す関連情報読出し手段と、
前記関連情報読出し手段により読出された書籍に関する他のコンテンツと前記書籍に関するコンテンツとを前記端末に送信する関連情報送信手段と
を備えたことを特徴とする書籍情報提供サーバ。
【請求項４】
請求項２に記載の書籍情報提供サーバにおいて、
前記広告情報送信手段に代えて、
前記教材特定情報と、前記書籍に関する他のコンテンツとが対応して記憶された関連情報ＤＢと、
前記教材特定情報に基づいて、該当する書籍に関する他のコンテンツを前記関連情報ＤＢから読出す関連情報読出し手段と、
前記関連情報読出し手段により読出された書籍に関する他のコンテンツと、前記コンテンツ情報読出し手段により読出された前記書籍に関するコンテンツと、前記広告情報読出し手段により読出された広告情報とを前記端末に送信する関連情報送信手段と
を備えたことを特徴とする書籍情報提供サーバ。
【請求項５】
請求項１ないし請求項４の何れか１項に記載の書籍情報提供サーバにおいて、
前記端末情報が、前記端末を利用する利用者のメールアドレスであることを特徴とする書籍情報提供サーバ。
【請求項６】
書籍を特定するための教材特定情報と、前記書籍に関するコンテンツとが対応して記憶されたコンテンツＤＢを備えた書籍情報提供サーバによって通信ネットワークを介して接続された端末に、書籍に関するコンテンツを提供する書籍情報提供方法あって、
前記端末装置から通信ネットワークを介して送信された教材特定情報と、前記端末を特定するための端末情報とを受け付ける情報受付工程と、
前記情報受付手段により受け付けた教材特定情報に基づいて、該当する書籍に関するコンテンツを前記コンテンツＤＢから読出すコンテンツ読出し工程と、
前記コンテンツ読出し工程により読出した書籍に関するコンテンツを前記端末情報を宛先として送信するコンテンツ送信工程と
を含むことを特徴とする書籍情報提供方法。
【発明の詳細な説明】
【０００１】
【発明の属する技術分野】
本発明は、例えば教科書、参考書等の書籍に記載されていないコンテンツ（有用な情報）を、通信ネットワークを介して要求元の端末に提供する書籍情報提供サーバ及び書籍情報提供方法に関する。
【０００２】
【従来の技術】
従来の学習方法としては、書籍を用いて学習を行う手法が知られている（非特許文献１参照）。
【０００３】
【非特許文献１】
特定非営利活動法人現代用語検定協会監修，「勉強のしかた・させかた家庭学習指導法１２ヶ月」，初版，パテント社，平成１４年１０月２６日，ｐ３６−ｐ３９
【０００４】
【発明が解決しようとする課題】
しかしながら、このような書籍だけを用いての学習だけでは、書籍だけからしか情報が得られず、時には学習する場所や時間帯が制限されてしまうので、学習を行う学習効率が低下してしまう可能性がある。
【０００５】
そこで本発明は、上記事情を考慮してなされたもので、書籍に記載されていない有用な情報を提供することにより書籍に対する理解度や学習効率を高めることを可能とする書籍情報提供サーバ及び書籍情報提供方法を提供することを目的とする。
【０００６】
【課題を解決するための手段】
本発明は、かかる課題を解決するものであり、請求項１の発明は、通信ネットワークを介して接続された端末に、書籍に関するコンテンツを提供する書籍情報提供サーバであって、書籍を特定するための教材特定情報と、書籍に関するコンテンツとが対応して記憶されたコンテンツＤＢと、端末から通信ネットワークを介して送信された教材特定情報と、端末を特定するための端末情報とを受け付ける情報受付手段と、情報受付手段により受け付けた教材特定情報に基づいて、該当する書籍に関するコンテンツをコンテンツＤＢから読出すコンテンツ読出し手段と、コンテンツ読出し手段により読出した書籍に関するコンテンツを端末情報を宛先として送信するコンテンツ送信手段とを備えた書籍情報提供サーバである。
【０００７】
なお、本明細書に記載の「教材特定情報」とは、書籍（書籍の一部を含む）を特定する情報のことをいう。
【０００８】
また、本明細書に記載の「端末情報」とは、端末や利用者を一意に断定することが出来る情報のことをいい、たとえば、ＩＰアドレス、利用者の所有するメールアドレス、端末に固有な固有識別情報等がある。
【０００９】
なお、本明細書に記載の「書籍」とは、教科書、ドリル、辞書、便覧、及び参考書等の学習に使用する図書のことをいう。
【００１０】
なお、本明細書に記載の「端末」としては、パーソナルコンピュータや、利用者が携帯可能な携帯端末などの情報処理装置のことをいう。
【００１１】
なお、端末としては、利用者の利便性を考慮すると、携帯電話機やＰＤＡ（Ｐｅｒｓｏｎａｌ  Ｄｉｇｉｔａｌ  Ａｓｓｉｓｔａｎｔｓ）等の携帯端末がより好ましい。
【００１２】
なお、本明細書に記載の「書籍に関するコンテンツ」とは書籍に予め印刷されていない情報のことをいう。
【００１３】
これにより、情報受付手段により端末から通信ネットワークを介して送信された教材特定情報と、端末を特定するための端末情報とが受け付けられ、当該受け付けた教材特定情報に基づいて、コンテンツ読出し手段により該当する書籍に関するコンテンツがコンテンツＤＢから読出され、当該読出した書籍に関するコンテンツがコンテンツ送信手段により端末情報を宛先として送信されるので、端末側で教材特定情報を指定するだけで端末が要求した書籍に関するコンテンツが提供されるので、書籍に記載されていない有用な情報を提供することにより書籍に対する理解度や学習効率を高めることが出来る。
【００１４】
請求項２の発明は、請求項１に記載の書籍情報提供サーバにおいて、コンテンツ送信手段に代えて、教材特定情報と、掲載広告情報とが対応して記憶された広告情報ＤＢと、教材情報に基づいて、該当する広告情報を広告情報ＤＢから読出す広告情報読出し手段と、広告情報読出し手段により読出された広告情報と書籍に関するコンテンツとを端末に送信する広告情報送信手段とを備えた書籍情報提供サーバである。
【００１５】
これにより、教材情報に基づいて、広告情報読出し手段により該当する広告情報が広告情報ＤＢから読出され、当該読出された広告情報と書籍に関するコンテンツとが端末に送信されるので、請求項１の発明と同様の作用を奏することが出来るのに加え、書籍に関連の深い広告を端末に提供でき、利用者に必ず広告を確認させることが出来る。
【００１６】
請求項３の発明は、請求項１に記載の書籍情報提供サーバにおいて、コンテンツ送信手段に代えて、教材特定情報と、書籍に関する他のコンテンツとが対応して記憶された関連情報ＤＢと、教材特定情報に基づいて、該当する書籍に関する他のコンテンツを関連情報ＤＢから読出す関連情報読出し手段と、関連情報読出し手段により読出された書籍に関する他のコンテンツと書籍に関するコンテンツとを端末に送信する関連情報送信手段と
を備えた書籍情報提供サーバである。
【００１７】
これにより、教材特定情報に基づいて、関連情報読出し手段により該当する書籍に関する他のコンテンツが関連情報ＤＢから読出され、当該読出された書籍に関する他のコンテンツと書籍に関するコンテンツとが関連情報送信手段により端末に送信されるので、請求項１の発明と同様の作用を奏することが出来るのに加え、書籍に関する理解をさらに深めてもらうことが出来る。
【００１８】
請求項４の発明は、請求項２に記載の書籍情報提供サーバにおいて、広告情報送信手段に代えて、教材特定情報と、書籍に関する他のコンテンツとが対応して記憶された関連情報ＤＢと、教材特定情報に基づいて、該当する書籍に関する他のコンテンツを関連情報ＤＢから読出す関連情報読出し手段と、関連情報読出し手段により読出された書籍に関する他のコンテンツと、コンテンツ情報読出し手段により読出された書籍に関するコンテンツと、広告情報読出し手段により読出された広告情報とを端末に送信する関連情報送信手段とを備えた書籍情報提供サーバである。
【００１９】
これにより、教材特定情報に基づいて、関連情報読出し手段により該当する書籍に関する他のコンテンツが関連情報ＤＢから読出され、当該読出された書籍に関する他のコンテンツと前記書籍に関するコンテンツと広告情報とが関連情報送信手段により端末に送信されるので、請求項２の発明と同様の作用を奏することが出来るのに加え、書籍に関する理解をさらに深めてもらうことが出来る。
【００２０】
請求項５の発明は、請求項１ないし請求項４の何れか１項に記載の書籍情報提供サーバにおいて、端末情報が、端末を利用する利用者のメールアドレスである書籍情報提供サーバである。
【００２１】
これにより、請求項１の発明と同様の作用を奏することが出来るのに加え、メールを用いるので、利用者の操作をより簡便にすることが出来る。
【００２２】
請求項６の発明は、書籍を特定するための教材特定情報と、書籍に関するコンテンツとが対応して記憶されたコンテンツＤＢを備えた書籍情報提供サーバによって、通信ネットワークを介して接続された端末に、書籍に関するコンテンツを提供する書籍情報提供方法あって、端末から通信ネットワークを介して送信された教材特定情報と、端末を特定するための端末情報とを受け付ける情報受付工程と、情報受付手段により受け付けた教材特定情報に基づいて、該当する書籍に関するコンテンツを前記コンテンツＤＢから読出すコンテンツ読出し工程と、コンテンツ読出し工程により読出した書籍に関するコンテンツを端末情報を宛先として送信するコンテンツ送信工程とを含む書籍情報提供方法である。
【００２３】
これにより、請求項１の発明と同様の作用を確実に奏することが出来る。
【００２４】
【発明の実施の形態】
以下、本発明の一実施の形態について図面を用いて説明する。
【００２５】
本発明の一実施の形態では、利用者は高校１年生であり、書籍としては、英語の教科書である。また、書籍情報提供サーバが提供する書籍に関するコンテンツとしては利用者が指定した英語の教科書における該当ページの単語や熟語の日本語訳で提供し、有償で該当ページの全訳文や構文ドリルをコンテンツとして提供する場合について説明する。
【００２６】
なお、利用者は、学習や知識を習得を目的とする者であれば良く、書籍としては教科書に限らず、学習書や知識を習得する書籍であれば良い。
【００２７】
また、書籍情報提供サーバが提供する書籍に関するコンテンツは、英語の教科書に合わせたものに限らず、数学の教科書に合わせた数学ドリルや、答えを導き出す過程を示したりしても良い。つまり、書籍情報提供サーバは、書籍等に予め印刷されている情報には無い情報をコンテンツとして利用者に提供する。
【００２８】
このような仕組みにすることで書籍の発行後に様々な情報（書籍に関するコンテンツ）を提供し、書籍の理解度を高めたり、書籍による学習効果を高めたりすることを目的とし、書籍の理解度を高められ、学習意欲を高められることを効果とする。
【００２９】
図１は、本発明の一実施の形態に係る書籍情報提供サーバと端末とを用いた教材情報提供システムの概略構成を示す模式図であり、図２は、本実施の形態に係る書籍情報提供サーバを用いた教材情報提供システムの詳細構成例を示す模式図である。
【００３０】
なお、本実施の形態における端末としては、携帯端末の一例である携帯電話を想定しているが、これに限らず、ＰＤＡやパーソナルコンピュータであってもよいことはいうまでもない。この場合、携帯電話の文言をそのままＰＤＡやパーソナルコンピュータと読み替えるものとする。
【００３１】
本実施の形態に係る教材情報提供システムは、図１に示すように、複数の基地局Ｓ１〜Ｓ３と、この各基地局に個別に設けられたセル内に存在し、かつ、利用者が所有する複数の携帯電話Ｐ１〜Ｐ３と、この各携帯電話と基地局及び通信ネットワーク２を介して接続され、かつ、ＩＳＰ（Ｉｎｔｅｒｎｅｔ  Ｓｅｒｖｉｃｅ  Ｐｒｏｖｉｄｅｒ）に設けられた書籍情報提供サーバ３と携帯ネットワークサーバ４とから構成される。
【００３２】
なお、本実施の形態では、３台の基地局と、３台の携帯電話とが設けられているが、これに限らず、基地局、携帯電話の台数は、任意の台数に変更可能であることはいうまでもない。
【００３３】
なお、本実施の形態では、携帯電話がセルごとに１台設けられている例に関して説明を行うが、これに限らず、携帯電話は、セル内に何台設けられていてもよいことはいうまでもない。
【００３４】
なお、本実施の形態では、説明の簡略化を図る観点から、携帯電話Ｐ１から操作を行う場合に関して説明を行うが、他の携帯電話から操作を行う場合であっても同一であることはいうまでもない。また説明の簡略化を図る観点から以下、単に携帯電話１と称する。
【００３５】
また、本実施の形態に係る携帯電話１は、通常の通話機能と、通常のメール送受信機能と、通常のブラウジング機能とを有しており、同一のバス１Ａに接続されたデータ入力部１Ｂと、ＲＯＭ１Ｃと、ＲＡＭ１Ｄと、第１のＣＰＵ１Ｅと、通信インターフェース１Ｆと、表示部１Ｇと、音声出力部１Ｈとから構成されている。
【００３６】
なお、本実施の形態に係る携帯電話１には、他に送受信アンテナ、送受信回路等も存在する。また、携帯電話に関連する施設として基地局等も存在するが、説明を発明のポイントに絞る観点から、これらについての詳細な説明はここでは省略する。
【００３７】
さらに、本実施の形態に係る書籍情報提供サーバ３は、同一のバス３Ａに接続された、ＲＯＭ３Ｂと、第１の記憶部３Ｃと、第２の記憶部３Ｄと、第３の記憶部３Ｅと、第４の記憶部３Ｆと、第５の記憶部３Ｇと、第６の記憶部３Ｈと、第７の記憶部３Ｉと、通信インターフェース３Ｊと、第２のＣＰＵ３Ｋとから構成される。
【００３８】
先の各記憶部は、具体的には、ＲＡＭやＨＤＤ（Ｈａｒｄ  Ｄｉｓｋ  Ｄｒｉｖｅ）や、ＣＤ−ＲＯＭ、ＭＯなどの光ディスク、光磁気ディスクなどから構成されている。
【００３９】
なお、本実施の形態に係る書籍情報提供サーバ３は、例えばＲＡＭ、ＲＯＭ、ＨＤＤなどの記憶部や記録媒体又は通信ネットワーク２から予めインストールされたプログラムによって動作が制御されるコンピュータによって各機能が実現される。
【００４０】
携帯ネットワークサーバ４は、携帯電話１からインターネットなどのネットワーク２へのアクセスを中継するサービス機能と、Ｅメールなどのメールを提供するサービス機能と、書籍情報提供サーバ３からのコンテンツなどの情報を中継するサービス機能の３つのサービス機能を備えている。これは、ｉモ−ド（登録商標）、Ｊ−スカイ（登録商標）、ＥＺ−ＷＥＢ（登録商標）などのモバイル通信サービスを提供している会社が備えていることが多い。
【００４１】
図２に、携帯電話１の機能構成図を示している。ここで、バス１Ａは、携帯電話１内部で相互にデータのやりとりを行うための伝送路である。
【００４２】
データ入力部１Ｂは、データやコマンド等を入力するための通常の入力機能を有するものであり、ダイヤルキー、送信キー、電源キー、及び音量調節キー等の機能キーが設けられている。このデータ入力部１Ｂは、主に利用者の操作により入力され、書籍や書籍の一部を指定する教材特定情報（例えば、この教材特定情報は、教科名、教科書名、利用者の種別、学年、及び利用者が要求する書籍のページなどの情報からなる。）と、この要求先の書籍情報提供サーバの端末情報の一例であるメールアドレス（以下、説明の簡略化を図る観点から、書籍情報提供サーバのメールアドレスのことを単にサーバのメールアドレスと称する。）との組を、この携帯電話１内に入力し、バス１Ａを介して接続されたＲＡＭ１Ｄにメールとして記憶させるためと、利用者の操作により、各コンテンツを要求するための要求メッセージを入力するためのものである。
【００４３】
ここで、端末情報とは、端末や利用者を一意に特定出来る情報のことをいい、例えばＩＰアドレス、利用者の所有するメールアドレス、端末に固有の番号情報である。なお、本実施の形態では、メールアドレスを利用した場合について主に説明する。
【００４４】
なお、利用者の種別とは、利用者の在籍している学校のことを意味する。ここで、学校とは、保育園、幼稚園、小学校、中学校、高等学校、高等専門学校、短期大学、及び大学のことを意味する。
【００４５】
なお、本実施の形態に係るデータ入力部１Ｂから入力される要求メッセージには、教材特定情報が含まれているものとする。
【００４６】
ＲＯＭ１Ｃには、携帯電話１内部における制御用のプログラムと通信制御機能を有するプログラムとが記憶されている。
【００４７】
ＲＡＭ１Ｄには、メール作成プログラムやブラウザなどのアプリケーションソフトと、利用者のメールアドレスの情報とが読出／書込可能に記憶されており、これら記憶されているアプリケーションソフトや情報が第１のＣＰＵ１Ｅによって読出され、利用される。
【００４８】
図３は、本実施の形態に係るメール作成画面の一例を示す模式図である。
【００４９】
同図に示すように、メール作成画面には、コンテンツを要求する先のサーバのメールアドレスを入力するための送信先欄（ａ１）と、教材特定情報とを入力するための題欄（ａ２）とメール本文（今回は空欄のまま送信する）を入力するための欄（ａ３）とが設けられており、利用者の操作によってサーバのメールアドレスと利用者が要求する情報を示す教材特定情報とがそれぞれ該当する欄に入力される。
【００５０】
図４は、本実施の形態に係るメール作成時に携帯電話側から入力する教材特定情報の一例を示す模式図である。
【００５１】
本実施の形態に係る教材特定情報では、利用者の利便性を考えて３種類のアルファベットと、学年を示す１桁の数字とページ数を表す３桁の数字とを組合わせた４桁の数字とから構成した。
【００５２】
なお、教材特定情報は、必ずしもこのような構成を要せず、一意に利用者が求める情報（コンテンツ）を特定できれば良い。
【００５３】
図４に示すように、教材特定情報の１番最初のアルファベットは、利用者の求める科目を示す。また、２番目のアルファベットは、教科書又は問題集等の書籍名を示す。さらに３番目のアルファベットは、中学校／高等学校の種別を示す。４番目の数字は、学年を示す。最後の３桁の数字は、教科書又は問題集等の書籍から、利用者が要求する書籍のページ数を示す。
【００５４】
例えば、図４に示す例「ＥＨＨ１０２６」では、「Ｅ」は、科目が英語であり、かつ、「Ｈ」は、教科書等の書籍名の略記号がＨで表される書籍等であり、かつ、「Ｈ」は、高等学校向けであり、かつ、「１」は、学年は１年生向けであり、かつ、「０２６」は、利用者が要求する書籍の内でページ番号２６ページで定められるコンテンツを利用者が要求していることを示す。
【００５５】
なお、本実施の形態に係る教材情報提供システムでは、教材特定情報の中で科目を示す略記号を付加したが、これに限らず、科目は付加しなくてもよいし、科目を示す記号を別途に設けても良い。これは、書籍によっては科目を必要としないものがあるためである。
【００５６】
また、本実施の形態に係る教材特定情報では、学校の種別として中学校と高等学校との種別だけを区別していたが、これに限らず、例えば、保育園、幼稚園、小学校、及び大学等の他の区別を設けてもよいし、区別を設けなくても良い。
【００５７】
教材特定情報は、提供するコンテンツに対する書籍が１つであれば、少なくともページ番号（ページ数ともいう）だけであっても良い。また、多くの書籍に対するコンテンツを提供し、各書籍に対するコンテンツが１つであれば、書籍名の略記号だけであっても良い。つまり、先にも述べたように、書籍又は書籍のどの箇所かを一意に特定出来る情報であれば、教材特定情報は、いずれの形態であっても良い。
【００５８】
ここで、携帯電話１の主要な機能について説明する。携帯電話１の第１のＣＰＵ１Ｅは、ＲＯＭ１Ｃに記憶されている携帯電話１内部の制御用プログラムと通信制御プログラムとに従って動作し、ＲＡＭ１Ｄに記憶されたメール作成プログラムやブラウザなどのアプリケーションソフトや情報を読出し、読出したアプリケーションソフトや情報を通信インターフェース１Ｆに出力する機能と、データ入力部１Ｂの操作により入力された各コンテンツを要求するための要求メッセージや、サーバのメールアドレスと教材特定情報とを通信インターフェース１Ｆに出力する機能と、通信インターフェース１Ｆにより受信されたデータを受け取り、受け取った各種データを表示部１Ｇの表示画面に表示させる機能と、音声データを音声データ出力部１Ｈに出力する機能とを有する。
【００５９】
なお、本実施の形態の携帯電話１における第１のＣＰＵ１Ｅが通信インターフェース１Ｆに送信する要求メッセージには、教材特定情報が含まれている。
【００６０】
通信インターフェース１Ｆは、第１のＣＰＵ１Ｅから出力された教材特定情報とサーバのメールアドレスの組を送信する機能と、第１のＣＰＵ１Ｅから出力された各コンテンツを要求するための要求メッセージを送信する機能と、書籍情報提供サーバ３から送信されたメール又はブラウザで表示するデータを受信する機能とを有する。
【００６１】
なお、本実施の形態に係る携帯電話１から書籍情報提供サーバ３に教科書に関するコンテンツをメールで送受信する手法としては、例えば、周知のＳＭＴＰ（Ｓｉｍｐｌｅ  Ｍａｉｌ  Ｔｒａｎｓｆｅｒ  Ｐｒｏｔｏｃｏｌ）の所定の手順に従って送受信する手法等が挙げられる。
【００６２】
なお、携帯ネットワークサーバ４にて、携帯電話１から送信されたメールや要求メッセージは、携帯電話から送信されたものと判断させるために、携帯電話に一意に対応づけられた端末情報、例えばメールアドレスやＩＰアドレスなどを割り振ることを行う。これにより、携帯電話１と書籍情報提供サーバ３との情報（コンテンツ）のやり取りが行われる。
【００６３】
表示部１Ｇは、外部に表示するためのＬＣＤやＬＥＤなどからなる表示装置が備えられており、第１のＣＰＵ１Ｅによりメール又はブラウザで表示するデータを利用者に対して表示する。
【００６４】
図５は、本実施の形態に係る表示部１Ｇに表示された、図３によるメールによって書籍情報提供サーバ３からの受信メールの画面表示の一例を示す模式図である。
【００６５】
図５に示す例では、受信メールの画面表示は、画面の一番上の領域に設けられた受信メールであることを示す＜メール受信＞の表示と、その下の領域に設けられた掲載広告データの表示される領域と、さらにその下の領域に設けられた利用者から要求された書籍における該当ページの英単語・英熟語（書籍に関するコンテンツ）を表示する領域と、さらにその下の領域に設けられた書籍の関連情報（書籍に関するコンテンツ）を表示する領域とから構成されている。
【００６６】
ここで、書籍の関連情報（つまり、書籍に関する他のコンテンツ）を表示する領域には、書籍の関連情報そのものを表示しても良いが、本実施の形態では、端末から書籍情報提供サーバ３への書籍の関連情報そのものを取得する要求内容である要求メッセージであっても良いし、後述する自動的にメールを作成するためのパラメータであっても良いものとする。
【００６７】
この受信メールの画面表示では、関連情報表示領域に全訳に関する選択情報であることを示す「全訳はこちら（ＵＲＬ）」の表示と、音声情報に関する選択情報であることを示す「ヒアリングはこちら（ＵＲＬ）」という表示と、構文解説・ドリルに関する選択情報であることを示す「構文解説・ドリルはこちら（ＵＲＬ）」という表示とがなされている。
【００６８】
ここで、ＵＲＬは、関連情報、つまり書籍に関する他のコンテンツの所在を示す情報である。
【００６９】
なお、この受信メール上で各ＵＲＬが利用者の操作により選択されると、図６に示すような接続確認画面が出力される。
【００７０】
なお、本実施の形態では、関連情報を表示する領域に各選択情報に該当するそれぞれのＵＲＬが表示されているが、これに代えて、関連情報に該当する各コンテンツの教材特定情報と、サーバのメールアドレスとを送信するメールをメール作成プログラムを用いて自動的に作成し、作成したメールを送信するための選択情報を表示させてもよいことはいうまでもない。
【００７１】
本実施の形態では、要求メッセージとは、書籍情報提供サーバ３への問い合わせや、ここで示した自動的にメールを作成するパラメータの概念を含むものとして説明する。
【００７２】
なお、このメールを自動的に作成する場合、教材特定情報は、前述した図４に示す教材特定情報に、全訳、音声、構文解説・ドリルの何れかを選択したことを示す識別情報を付加して作成する。
【００７３】
例えば前述した教材特定情報の該当ページの全訳を選択した場合、教材特定情報は「ＥＨＨ１００２６＜全訳＞」となる。
【００７４】
ここで＜全訳＞は、全訳に関するコンテンツが利用者によって選択されたことを示す識別情報を表している。なお、識別情報はコンテンツを指定できれば良く、表現はいかなるものであっても良い。
【００７５】
これにより、例えば、携帯電話１の表示部１Ｇに表示されたメール内で利用者によって全訳が選択されると、全文を本文に記載したメールが書籍情報提供サーバ３から携帯電話１の利用者のメールアドレス宛に送信され、例えば図７に示すようなメールが携帯電話１で受信される。
【００７６】
また、携帯電話１の表示部１Ｇに表示されたメール内で利用者によってヒアリングが選択されると、書籍情報提供サーバ３から例えば図８に示すような音声ファイルが添付されたメールが送信され、携帯電話１によって受信される。
【００７７】
さらに、携帯電話１の表示部１Ｇに表示されたメール内で構文解説・問題が選択されると、書籍情報提供サーバ３から例えば図９に示すような構文解説又は問題を含むメールが送信され、携帯電話１によって受信される。
【００７８】
なお、本実施の形態では、受信メールの画面上で、掲載広告データの表示される領域と、英単語・英熟語を表示する領域と、関連情報を表示する領域との位置関係は、任意に変更可能であり、例えば広告データ表示領域を英単語・英熟語表示領域の下の領域に設けることも出来る。
【００７９】
なお、受信メールには、掲載広告データの表示された領域、本実施の形態におけるコンテンツである英単語・英熟語の意味を表示する領域、先のコンテンツと関連する関連情報を表示する領域が設けられているが、少なくとも書籍に関するコンテンツを表示する領域が設けられていれば良い。本実施の形態では、掲載広告データは、利用者に対しての広告効果を狙っているものや、または掲載する広告を募ることにより本システムの低価格化をはかるものである。また、コンテンツと関連する関連情報は、更に深く書籍に係わり、さらに理解を高める目的で提供される。
【００８０】
音声出力部１Ｈは、第１のＣＰＵ１Ｅによって解析された音声データを利用者に対して音声として出力する。
【００８１】
例えば、前述した受信メールの表示でヒアリングのスタートが選択された場合に、第１のＣＰＵ１Ｅによって受信メールに添付された音声ファイルから音声を合成し、音声出力部１Ｈから出力される。
【００８２】
図２に書籍情報提供サーバ３の機能構成図を示している。ここで、バス３Ａは、書籍情報提供サーバ３内部で相互にデータをやり取りするための共通路である。
【００８３】
ＲＯＭ３Ｂには、書籍情報提供サーバ内部の制御プログラムが記憶されている。
【００８４】
第１の記憶部３Ｃには、予め携帯ネットワークサーバ４から通知される携帯電話毎に設定された固有のＩＤと、会員のメールアドレスとがリスト形式となっている会員ＤＢが読出／書込可能に記憶されており、第２のＣＰＵ３Ｋによって会員のメールアドレスが読出されたり、新たに会員のメールアドレスが追加して書き込まれたりする。
【００８５】
第２の記憶部３Ｄには、教材特定情報に対応して関連情報（書籍に関する他のコンテンツ）を記録した関連情報ＤＢ３Ｄ１が読出／書込可能に記憶されており、第２のＣＰＵ３Ｋによって教材特定情報で指定された関連情報が読出される。
【００８６】
図１０は、本実施の形態に係る第２の記憶部３Ｄに記憶されている関連情報ＤＢ３Ｄ１の一例を示す模式図である。
【００８７】
同図に示す関連情報ＤＢ３Ｄ１には、教科名（ｂ１）、書籍名の略記号（ｂ２）、中学校／高等学校の種別（ｂ３）、学年（ｂ４）、ページ数（ｂ５）、及び関連情報として例えば該当ページのコンテンツのＵＲＬなどの要求メッセージ（ｂ６）が対応して記憶されている。
【００８８】
第３の記憶部３Ｅには、教材特定情報と利用者に提供するコンテンツＤＢ、ここでは英単語・英熟語ＤＢ３Ｅ１が読出／書込可能に記憶されており、第２のＣＰＵ３Ｋによって教材特定情報で指定された該当ページの書籍に関するコンテンツ、ここでは英単語・英熟語データが読出される。
【００８９】
図１１は、本実施の形態に係る第３の記憶部３Ｅに記憶されている英単語・英熟語ＤＢ３Ｅ１の一例を示す模式図である。
【００９０】
同図に示す英単語・英熟語ＤＢ３Ｅ１には、教科名（ｃ１）、書籍名の略記号（ｃ２）、中学校／高等学校の種別（ｃ３）、学年（ｃ４）、ページ数（ｃ５）、及び該当ページに記載されている英単語・英熟語の和訳データ（ｃ６）が記憶されている。
【００９１】
第４の記憶部３Ｆには、教材特定情報と掲載広告データとが対応した広告情報ＤＢ３Ｆ１が読出し／書込可能に記憶されており、第２のＣＰＵ３Ｋによって教材特定情報で指定された掲載広告データが読出される。
【００９２】
図１２は、本実施の形態に係る第４の記憶部３Ｆに記憶されている広告情報ＤＢの一例を示す模式図である。
【００９３】
同図に示す広告情報ＤＢ３Ｆ１には、教科名（ｄ１）、書籍名の略記号（ｄ２）、中学校／高等学校の種別（ｄ３）、学年（ｄ４）、ページ数（ｄ５）、及び掲載広告データ（ｄ６）が対応して記憶されている。
【００９４】
第５の記憶部３Ｇには、教材特定情報と該当する音声ファイルとが対応して記憶されたヒアリング情報ＤＢ３Ｇ１が記憶されており、教材特定情報で指定された音声ファイルが第２のＣＰＵ３Ｋによって読出される。
【００９５】
図１３は、本実施の形態に係る第５の記憶部３Ｇに記憶されているヒアリング情報ＤＢ３Ｇ１の一例を示す模式図である。
【００９６】
同図に示す音声情報ＤＢ３Ｇ１には、教科名（ｅ１）、書籍名の略記号（ｅ２）、中学校／高等学校の種別（ｅ３）、学年（ｅ４）、ページ数（ｅ５）、及び該当ページの音声ファイル（ｅ６）が対応して記憶されている。
【００９７】
第６の記憶部３Ｈには、教材特定情報と該当する英文の全文和訳のデータとが対応して記憶された全訳情報ＤＢ３Ｈ１が読出し／書込可能に記憶されており、第２のＣＰＵ３Ｋによって教材特定情報に該当するページの全文和訳のデータが読出される。
【００９８】
図１４は、本実施の形態に係る第６の記憶部３Ｈに記憶されている全訳情報ＤＢ３Ｈ１の一例を示す模式図である。
【００９９】
同図に示す全訳情報ＤＢ３Ｈ１には、教科名（ｆ１）、書籍名の略記号（ｆ２）、中学校／高等学校の種別（ｆ３）、学年（ｆ４）、ページ数（ｆ５）、及び該当ページの全訳のデータ（ｆ６）が対応して記憶されている。
【０１００】
第７の記憶部３Ｉには、教材特定情報と該当する構文解説・問題とが対応して記憶された構文解説・ドリルＤＢ３Ｉ１が記憶されており、第２のＣＰＵ３Ｋによって教材特定情報に該当する構文解説又は問題のデータが読出される。
【０１０１】
図１５は、本実施の形態に係る第７の記憶部３Ｉに記憶されている構文解説・ドリルＤＢ３Ｉ１の一例を示す模式図である。
【０１０２】
同図に示す構文解説・ドリルＤＢ３Ｉ１には、教科名（ｇ１）、書籍名の略記号（ｇ２）、中学校／高等学校の種別（ｇ３）、学年（ｇ４）、ページ数（ｇ５）、及び該当ページの重要構文の構文解説又は問題のデータ（ｇ６）が対応して記憶されている。
【０１０３】
なお、本実施の形態に係る書籍情報提供サーバ３では、各データベース（ＤＢ）の情報を記憶させるために、主記憶装置として、複数の記憶部を設けたが、これに限らず、単一の記憶部の主記憶装置の異なる領域に記憶させてもよいし、別途、ＲＡＭやハードディスク装置等の補助記憶装置に記憶させてもよいことはいうまでもない。
【０１０４】
本実施の形態で説明した各記憶部を単一の記憶部にする場合には、教材特定情報と、各データ、例えば関連情報、書籍に関するコンテンツ、掲載広告データ、音声ファイル、全訳データ、及び構文解説問題データなどが対応付けられて記憶されていればよい。
【０１０５】
図２に示すように、書籍情報提供サーバ３の通信インターフェース３Ｊは、通信ネットワーク２を介して携帯電話１から送信された、サーバのメールアドレス、教材特定情報、及び利用者のメールアドレスとの組を受信する機能と、受信したサーバのメールアドレス、教材特定情報、及び利用者のメールアドレスとの組を第２のＣＰＵ３Ｋに出力する機能と、第２のＣＰＵ３Ｋから出力されたメール又はブラウザで表示される各ファイルのデータを通信ネットワークに送信する機能とを有する。
【０１０６】
第２のＣＰＵ３Ｋ（制御手段）は、ＲＯＭ３Ｂに記憶された書籍情報提供サーバ３内部の制御プログラムに従って動作しており、通信インターフェース３Ｊから出力されたサーバのメールアドレスを受け取ったか否かによって自己宛のメールを受信したか否かを判定する機能と、この判定の結果、メールを受信したと判定した場合に、第１の記憶部３Ｃを参照する機能と、この参照の結果、受け取った利用者のメールアドレスと一致するメールアドレスがあるか否かにより登録済みの会員であるか否かの判定を行う機能と、この判定の結果、登録済みの会員であると判定した場合に、第２の記憶部３Ｄ（記憶手段）に記憶された関連情報ＤＢ３Ｄ１から教材特定情報をキーとして関連情報のＵＲＬを読出す機能と、第３の記憶部３Ｅに記憶された英単語・英熟語ＤＢ３Ｅ１から教材特定情報をキーとして該当する英単語及び英熟語のデータを読出す機能と、教材特定情報をキーとして該当する掲載広告データを第４の記憶部３Ｆに記憶された広告情報ＤＢ３Ｆ１から読出す機能と、読出した英単語及び英熟語のデータと関連するコンテンツのＵＲＬと、掲載広告データとを含むメールのデータをこの教材特定情報を指定した利用者のメールアドレスを宛先として作成し、作成したメールのデータを通信インターフェースに出力する機能と、
通信インターフェース３Ｊから出力された要求メッセージから音声ファイルのデータの要求メッセージであるか否かを判定する機能と、当該判定の結果、音声ファイルの要求メッセージであると判定した場合、この要求メッセージで指定された該当ページの音声ファイルを第５の記憶部３Ｇに記憶されたヒアリング情報ＤＢ３Ｇ１から要求メッセージ内の教材特定情報をキーとして読出し、読出した音声ファイルを通信インターフェース１Ｆに出力する機能と、通信インターフェ−ス３Ｊから出力された要求メッセージから全訳のデータの要求メッセージがあるか否かを判定する機能と、当該判定の結果、全訳の要求メッセージがあると判定した場合、この要求メッセージで指定された該当ページの全訳のデータを第６の記憶部３Ｈに記憶された全訳情報ＤＢ３Ｈ１から要求メッセージ内の教材特定情報をキーとして読出し、該当ページの全訳のデータを通信インターフェース１Ｆに出力する機能と、通信インターフェース３Ｊから出力された要求メッセージから構文解説又は問題のデータの要求メッセージがあるか否かを判定する機能と、当該判定の結果、構文解説又は問題の要求メッセージがあると判定した場合、この要求メッセージで指定された該当ページの構文解説又は問題のデータを第７の記憶部３Ｉに記憶された構文解説・ドリルＤＢ３Ｉ１から要求メッセージ内の教材特定情報をキーとして読出し、読出した構文解説又は問題のデータを通信インターフェース３Ｊに出力する機能とを有する。
【０１０７】
なお、要求メッセージに代わり、メールにて関連情報の取得の要求があった場合、本実施の形態に係る第２のＣＰＵ３Ｋには、通信インターフェース３Ｊから出力されたサーバのメールアドレス、教材特定情報、音声ファイルを指定する前述した識別情報、及び利用者のメールアドレスを受け取り、教材特定情報と前述した識別情報とで指定される音声ファイルのデータを、教材特定情報をキーとして第５の記憶部３Ｇに記憶されたヒアリング情報ＤＢ３Ｇ１から読出し、要求した利用者のメールアドレスを宛先として音声ファイルを添付したメールを作成し、作成したメールを通信インターフェース３Ｊに出力する機能と、通信インターフェース３Ｊから出力されたサーバのメールアドレス、教材特定情報、全訳データを指定する前述した識別情報、及び利用者のメールアドレスを受け取り、教材特定情報と前述した識別情報とで指定される全訳データを、教材特定情報をキーとして第６の記憶部３Ｈに記憶された全訳情報ＤＢ３Ｈ１から読出し、要求した利用者のメールアドレスを宛先として全訳のデータを含むメールを作成し、作成したメールを通信インターフェース３Ｊに出力する機能と、通信インターフェース３Ｊから出力されたサーバのメールアドレス、教材特定情報、構文解説・問題のデータを指定する前述した識別情報、及び利用者のメールアドレスを受け取り、構文解説・問題のデータを教材特定情報をキーとして、第７の記憶部３Ｉに記憶された構文解説・ドリルＤＢ３Ｉ１から読出し、要求した利用者のメールアドレスを宛先として構文解説・問題のデータを含むメールを作成し、作成したメールを通信インターフェース３Ｊに出力する機能とを付加してもよい。
【０１０８】
次に、以上のように構成された書籍情報提供サーバ３の動作を図を用いて説明する。
【０１０９】
図１６及び図１７は、本実施の形態に係る書籍情報提供サーバ３の動作を説明するためのフローチャートである。
【０１１０】
始めに、利用者の操作によって通信ネットワーク２への接続操作が行われると、携帯電話の表示部１Ｇの画面上には、ポータルサイトが表示される。
【０１１１】
続いて、このポータルサイト上で、所定の項目が利用者の操作により
書籍情報提供サーバ３が提供するサービスが指定されると、氏名、住所、生年月日、性別、及び利用者のメールアドレス、パスワード等の係わる個人情報等を入力させるための図示しない会員登録画面が表示される。
【０１１２】
そして、この会員登録画面上で利用者のメールアドレス等の個人情報が利用者の操作により入力されると、携帯電話１から基地局Ｓ１と携帯ネットワークサーバ４及び通信ネットワーク２を介して、書籍情報提供サーバ３に利用者のメールアドレス等の個人情報が送信される。
【０１１３】
第２のＣＰＵ３Ｋは、送信された利用者の個人情報を第１の記憶部３Ｃに記憶された会員ＤＢにリスト形式で記憶させる。
【０１１４】
これにより、利用者の会員登録が終了する。
【０１１５】
＜英単語・英熟語の情報の送信処理＞
始めに、書籍情報提供サーバ３の第２のＣＰＵ３Ｋは、通信インターフェース３Ｊからサーバのメールアドレス、教材特定情報、及び利用者のメールアドレスを受け取り（情報受付手段、情報受付工程）、自己宛のメールか否かを判定する（Ｍ１）。
【０１１６】
第２のＣＰＵ３Ｋは、この工程Ｍ１で、自己宛のメールを受信したと判定した場合（Ｍ１：Ｙｅｓ）、会員ＤＢを参照し、該当する会員のメールアドレスがあるか否かにより、メールの送信元の利用者が登録済みの会員であるか否かを判定する（Ｍ２）。
【０１１７】
一方、第２のＣＰＵ３Ｋは、前述した工程Ｍ１で自己宛のメールではないと判定した場合（Ｍ１：Ｎｏ）、この工程Ｍ１に戻り、待機する。
【０１１８】
第２のＣＰＵ３Ｋは、前述した工程Ｍ２でメールの送信元の利用者が登録済みの会員であると判定した場合（Ｍ２：Ｙｅｓ）、関連情報ＤＢ３Ｄ１を、受信した教材特定情報をキーとして検索し（Ｍ３）、この検索の結果、該当する書籍に関する他のコンテンツのＵＲＬを読出す（Ｍ４：関連情報読出し手段、関連情報読出し工程）。
【０１１９】
一方、第２のＣＰＵ３Ｋは、前述した工程Ｍ２で送信元の利用者が会員でないと判定した場合（Ｍ２：Ｎｏ）、この会員のメールアドレス、氏名、住所、成年月日等の事項の入力を促す図示しない新規登録画面の所在を示すＵＲＬを含むメールを送信する（Ｍ５）。その後、当該処理を終了する。
【０１２０】
工程Ｍ６では、第２のＣＰＵ３Ｋは、教材特定情報により、該当する書籍に関するコンテンツ（英単語・英熟語データ）があるか否かを判定する（Ｍ６）。
【０１２１】
第２のＣＰＵ３Ｋは、この工程Ｍ６で該当する書籍に関するコンテンツがあると判定した場合（Ｍ６：Ｙｅｓ）、教材特定情報をキーとして英単語・英熟語ＤＢ３Ｅ１と広告情報ＤＢ３Ｆ１とを検索し（Ｍ７）、検索の結果として該当する英単語・英熟語のデータと掲載広告データとを英単語・英熟語ＤＢ３Ｅ１と、広告情報ＤＢ３Ｆ１とから読出す（Ｍ８：コンテンツ読出し手段、コンテンツ読出し工程、広告情報読出し手段、広告情報読出し工程）。
【０１２２】
一方、第２のＣＰＵ３Ｋは、前述した工程Ｍ６で、該当する書籍に関するコンテンツがないと判定した場合（Ｍ６：Ｎｏ）、該当する書籍に関するコンテンツがないことを示す画面を通信インターフェース３Ｊを介して携帯電話１にメールで送信する（Ｍ９）。
【０１２３】
その後、当該処理を終了する。
【０１２４】
工程Ｍ１０では、第２のＣＰＵ３Ｋは、要求した利用者のメールアドレスを宛先として読出した英単語・英熟語のデータと関連する他のコンテンツ（関連情報）と、掲載広告データとを含むメールを作成する。
【０１２５】
次に、第２のＣＰＵ３Ｋは、この作成したメールを通信インターフェース３Ｊを介して、携帯電話１に送信する（Ｍ１１関連情報送信手段）。
【０１２６】
これにより、送信されたメールのデータは、第１のＣＰＵ１Ｅによって解析される。そして、前述した図５に示すような受信メールが携帯電話１の表示部１Ｇに表示される。
【０１２７】
なお、本実施の形態では、第２のＣＰＵ３Ｋは、読出した英単語・英熟語のデータと関連する他のコンテンツ（関連情報）と、掲載広告データとを含むメールを作成し、作成したメールを通信インターフェース３Ｊを介して、携帯電話１に送信したが、これに限らず、書籍に関するコンテンツだけを含むメールを作成して送信してもよいし（コンテンツ送信手段、コンテンツ送信工程）、書籍に関するコンテンツと、掲載広告データとを含むメールを作成して送信してもよい（広告情報送信手段）。
【０１２８】
以上のような一連の処理により、英単語・英熟語の情報、つまり、書籍に対応するコンテンツの提供処理を終了する。
【０１２９】
＜他のコンテンツの送信処理＞
書籍情報提供サーバ３の第２のＣＰＵ３Ｋは、携帯電話１から通信ネットワーク２を介して送信された要求メッセージから、音声データの要求メッセージであるか否かを判定する（Ｐ１）。
【０１３０】
第２のＣＰＵ３Ｋは、この工程Ｐ１で音声データの要求メッセージであると判定した場合（Ｐ１：Ｙｅｓ）、第５の記憶部３Ｇに記憶されたヒアリング情報ＤＢ３Ｇ１を、受信した要求メッセージ内の教材特定情報をキーとして検索し（Ｐ２）、当該検索の結果、該当する音声ファイルのデータを読出し（Ｐ３）、読出した音声ファイルを通信インターフェース３Ｊを介して携帯電話１に送信する（Ｐ４）。次に、第２のＣＰＵ３Ｋは、工程Ｐ１に戻る。
【０１３１】
一方、第２のＣＰＵ３Ｋは、前述した工程Ｐ１で音声ファイルを要求する要求メッセージでないと判定した場合（Ｐ１：Ｎｏ）、この要求メッセージが全訳データの要求メッセージであるか否かを判定する（Ｐ７）。
【０１３２】
第２のＣＰＵ３Ｋは、この工程Ｐ７で全訳のデータの要求メッセージであると判定した場合（Ｐ７：Ｙｅｓ）、要求メッセージ内の教材特定情報をキーとして第６の記憶部３Ｈに記憶された全訳情報ＤＢ３Ｈ１を検索し（Ｐ８）、この検索の結果として該当する全訳のデータを全訳情報ＤＢ３Ｈ１から読出し（Ｐ９）、読出した全訳のデータを通信インターフェース３Ｊを介して携帯電話１に送信する（Ｐ１０）。
【０１３３】
その後、前述した工程Ｐ１に戻る。
【０１３４】
一方、第２のＣＰＵ３Ｋは、前述した工程Ｐ７で全訳の要求メッセージではないと判定した場合（Ｐ７：Ｎｏ）、構文解説・問題の要求メッセージであるか否かを判定する（Ｐ１１）。
【０１３５】
第２のＣＰＵ３Ｋは、この工程Ｐ１１で要求メッセージがあると判定した場合（Ｐ１１：Ｙｅｓ）、要求メッセージ内の教材特定情報をキーとして第７の記憶部３Ｉに記憶された構文解説・ドリルＤＢ３Ｉ１を検索する（Ｐ１２）。
【０１３６】
次に、第２のＣＰＵ３Ｋは、この検索の結果として該当する構文解説又は問題のデータを構文解説・ドリルＤＢ３Ｉ１から読出す（Ｐ１３）。
【０１３７】
次に、第２のＣＰＵ３Ｋは、この読出した構文解説又は問題のデータを通信インターフェース３Ｊを介して携帯電話１に送信する（Ｐ１４）。
【０１３８】
その後、前述した工程Ｐ１に戻る。
【０１３９】
次に、第２のＣＰＵ３Ｋは、工程Ｐ１、工程Ｐ７、及び工程Ｐ１１のいずれの要求メッセージでもない場合（Ｐ１１：Ｎｏ）、携帯電話１から利用者の操作によって回線の接続を切断するための要求メッセージを受信したか否かにより、回線の接続を切断するか否かを判定する（Ｐ５）。
【０１４０】
第２のＣＰＵ３Ｋは、この工程Ｐ５で切断の要求メッセージであると判定した場合（Ｐ５：Ｙｅｓ）、回線を切断する（Ｐ６）。
【０１４１】
第２のＣＰＵ３Ｋは、前述した工程Ｐ５で切断の要求メッセージでないと判定した場合（Ｐ５：Ｎｏ）、工程Ｐ１に戻る。
【０１４２】
以上のような一連の処理により、書籍情報提供サーバ３は、他のコンテンツの提供処理を終了する。
【０１４３】
なお、要求メッセージに教材特定情報だけが含まれている場合には、この他のコンテンツは携帯電話１のブラウザにより表示される。また、要求メッセージに利用者のメールアドレスが含まれている場合には、この他のコンテンツをメールにて携帯電話１に提供することは可能である。
【０１４４】
上述したように、本実施の形態によれば、携帯端末１から送信された、自己宛のメールアドレスと教材特定情報と利用者のメールアドレスとの組が通信インターフェース３Ｊによって受信され、教材特定情報をキーとして教材特定情報と書籍の該当ページに記載された記載内容を含むコンテンツと、このコンテンツに関連する他のコンテンツのＵＲＬと、掲載広告データとが対応して記憶された各記憶部が検索され、該当する書籍のコンテンツと、このコンテンツに関連する他のコンテンツのＵＲＬや掲載広告データとが第２のＣＰＵ３Ｋにより読出され、利用者のメールアドレスを宛先とし、読出したコンテンツと、このコンテンツに関連する他のコンテンツと掲載広告データとを含むメールが作成され、作成したメールを要求元の利用者宛に送信されるので、場所と時間帯とが限定されることなく書籍に記載されていない情報を取得することができ、利用者の学習効率を高めることが出来る。
【０１４５】
本実施の形態によれば、何時でも何処でも学習を行うことが出来るので、より利用者の学習効率を高めることが出来る。
【０１４６】
本実施の形態によれば、容易に書籍からは直接得られない情報を提供出来るので、利用者に対し、よりよい学習環境を提供することが出来る。
【０１４７】
本実施の形態によれば、教材特定情報として書籍のページ数を指定することが出来るので、利用者が欲しいところだけを得ることが出来る。
【０１４８】
本実施の形態によれば、コンテンツをメールで受信するので、ウェブサイトにアクセスしなくてもよくなり、コンテンツの取得を予め行っておくこともでき、さらに、安価で得ることが出来る。
【０１４９】
本実施の形態によれば、利用者としての学習者を特定出来るので、専門広告媒体としてビジネスを展開することが出来る。
【０１５０】
本実施の形態によれば、利用者としての学習者が通勤や通学時の電車又はバスの中で手軽に書籍を通じて書籍に記載されていない事項の学習を行うことが出来る。
【０１５１】
本実施の形態によれば、利用者としての学生が学校の休み時間中にでも手軽に授業のための予習をすることが出来る。
【０１５２】
本実施の形態によれば、部活動で忙しく、学習時間を十分に取れない学生であってもいかなる場所でも効率的に予習と復習とを行うことが出来る。
【０１５３】
なお、上記一実施の形態に記載した手法は、コンピュータに実行させることの出来るプログラムとして、磁気ディスク（フレキスブルディスク、ハードディスクなど）、光ディスク（ＣＤ−ＲＯＭ、ＤＶＤなど）、光磁気ディスク（ＭＯ）、半導体メモリなどの記録媒体に格納して頒布することが出来る。
【０１５４】
なお、上記一実施の形態に記載した手法を実現するプログラムは、通信ネットワーク、例えばインターネットやイントラネットを介して送信することによって提供することも出来る。
【０１５５】
この通信ネットワークを介したプログラムの提供方法としては、例えば、ＡＳＰ（Ａｐｐｌｉｃａｔｉｏｎ  Ｓｅｒｖｉｃｅ  Ｐｒｏｖｉｄｅｒ）によるものを包含する。
【０１５６】
また、プログラムは、上記の機能を実現するものであれば、例えば、Ｃ（登録商標）、Ｃ＋＋（登録商標）、又はＪＡＶＡ（登録商標）等、どのようなプログラミング言語で記載されたものであっても良い。
【０１５７】
なお、本発明は、上記一実施の形態に限定されるものでなく、実施段階ではその要旨を逸脱しない範囲で、種々に変形することが可能である。
【０１５８】
さらに、上記一実施の形態には、種々の段階の発明が含まれており、開示されている複数の構成要件における適宜な組み合わせにより種々の発明が抽出され得る。例えば、実施の形態に示されている全構成要件から幾つかの構成要件が省略されることで発明が抽出された場合には、その抽出された発明を実施する場合には、省略部分が周知慣用技術で適宜補われるものである。
【０１５９】
その他、本発明は、その要旨を逸脱しない範囲で種々変形して実施出来る。
【０１６０】
【発明の効果】
以上説明したように、請求項１に対応する本発明によれば、書籍に記載されていない有用な情報を提供することにより書籍に対する理解度や学習効率を高めることが出来る。
【０１６１】
請求項２に対応する本発明によれば、請求項１の発明の効果に加え、書籍に関連の深い広告を端末に提供でき、利用者に必ず広告を確認させることが出来る。
【０１６２】
請求項３に対応する本発明によれば、請求項１の発明の効果に加え、書籍に関する理解をさらに深めてもらうことが出来る。
【０１６３】
請求項４に対応する本発明によれば、請求項２の発明の効果に加え、書籍に関する理解をさらに深めてもらうことが出来る。
【０１６４】
請求項５に対応する本発明によれば、請求項１の発明の効果に加え、利用者の操作をより簡便にすることが出来る。
【０１６５】
請求項６に対応する本発明によれば、請求項１の発明と同様の効果を確実に奏することが出来る。
【図面の簡単な説明】
【図１】本発明の一実施の形態に係る書籍情報提供サーバを用いた教材情報提供システムの概略構成を示す模式図。
【図２】本実施の形態に係る書籍情報提供サーバを用いた教材情報提供システムの詳細構成例を示す模式図。
【図３】本実施の形態に係るメール作成画面の一例を示す模式図。
【図４】本実施の形態に係るメール作成時に携帯電話側から入力する教材特定情報の一例を示す模式図。
【図５】本実施の形態に係る表示部に表示される受信メールの画面表示の一例を示す模式図。
【図６】本実施の形態に係る接続確認画面の一例を示す模式図。
【図７】本実施の形態に係る受信メールの一例を示す模式図。
【図８】本実施の形態に係る受信メールの一例を示す模式図。
【図９】本実施の形態に係る受信メールの一例を示す模式図。
【図１０】本実施の形態に係る第２の記憶部３Ｄに記憶されている関連情報ＤＢ３Ｄ１の一例を示す模式図。
【図１１】本実施の形態に係る第３の記憶部３Ｅに記憶されている英単語・英熟語ＤＢ３Ｅ１の一例を示す模式図。
【図１２】本実施の形態に係る第４の記憶部３Ｆに記憶されている広告情報ＤＢ３Ｆ１の一例を示す模式図。
【図１３】本実施の形態に係る第５の記憶部３Ｇに記憶されているヒアリング情報ＤＢ３Ｇ１の一例を示す模式図。
【図１４】本実施の形態に係る第６の記憶部３Ｈに記憶されている全訳情報ＤＢ３Ｈ１の一例を示す模式図。
【図１５】本実施の形態に係る第７の記憶部３Ｉに記憶されている構文解説・ドリルＤＢ３Ｉ１の一例を示す模式図。
【図１６】本実施の形態に係る書籍情報提供サーバ３の動作を説明するためのフローチャート。
【図１７】本実施の形態に係る書籍情報提供サーバ３の動作を説明するためのフローチャート。
【符号の説明】
１…携帯電話、２…通信ネットワーク、３…書籍情報提供サーバ、４…携帯ネットワークサーバ、１Ａ…バス、１Ｂ…データ入力部、１Ｃ…ＲＯＭ、１Ｄ…ＲＡＭ、１Ｅ…第１のＣＰＵ、１Ｆ…通信インターフェース、１Ｇ…表示部、１Ｈ…音声出力部、３Ａ…バス、３Ｂ…ＲＯＭ、３Ｃ…第１の記憶部、３Ｄ…第２の記憶部、３Ｅ…第３の記憶部、３Ｆ…第４の記憶部、３Ｇ…第５の記憶部、３Ｈ…第６の記憶部、３Ｉ…第７の記憶部、３Ｊ…通信インターフェース、３Ｋ…第２のＣＰＵ
【図１】
2004234537.tif 000003
【図２】
2004234537.tif 000004
【図３】
2004234537.tif 000005
【図４】
2004234537.tif 000006
【図５】
2004234537.tif 000007
【図６】
2004234537.tif 000008
【図７】
2004234537.tif 000009
【図８】
2004234537.tif 000010
【図９】
2004234537.tif 000011
【図１０】
2004234537.tif 000012
【図１１】
2004234537.tif 000013
【図１２】
2004234537.tif 000014
【図１３】
2004234537.tif 000015
【図１４】
2004234537.tif 000016
【図１５】
2004234537.tif 000017
【図１６】
2004234537.tif 000018
【図１７】
2004234537.tif 000019